(57)【特許請求の範囲】
【請求項１】
天井材に貫設した貫通孔に挿入され天井材に取り付けられる枠体と、少なくとも一部が枠体の内側に配置されて枠体に取り付けられた器具本体と、光源が内部に配置され器具本体に対して回転軸により上下方向に回動可能となるように軸支された灯具とを備え、灯具を回動させたときに灯具が天井材に接触するのを防止する接触防止具を回転軸に回動自在に設けたことを特徴とする天井埋込型照明器具。
【請求項２】
前記器具本体は、前記枠体の内側に配置されて前記枠体に取り付けられ前記光源からの光を出射させるベース部と、ベース部上に配置され前記回転軸により前記灯具を軸支した支持体とを備え、前記回転軸を水平面内で前記枠体の投影領域よりも外側の位置まで移動可能とするように支持体がベース部に対してスライド自在に連結されてなることを特徴とする請求項１記載の天井埋込型照明器具。
【発明の詳細な説明】
【技術分野】
【０００１】
本発明は、光照射方向を可変とした天井埋込型照明器具に関するものである。
【背景技術】
【０００２】
従来から、光照射方向を可変とした天井埋込型照明器具として、図６に示すように、天井材Ｃ’に貫設した貫通孔Ｃ２’に挿入され天井材Ｃ’に取り付けられる枠体２’と、枠体２’の内側に配置され枠体２’に取り付けられた器具本体３’と、内部に光源６’が配置され器具本体３’に対して回動自在に支持された灯具４’とを備えた天井埋込型照明器具１’が提案されている（特許文献１参照）。ここで、上述の枠体２’は、下端縁から外方へ外鍔部２１’が延設されており、外鍔部２１’と枠体２’の外側面に突設された脚部２ａ’とにより天井材Ｃ’を挟持する形で天井材Ｃ’に取り付けられる。
【０００３】
また、従来から、図６に示した構成の天井埋込型照明器具１’の他に、図７に示すように、天井材Ｃ’に貫設した貫通孔Ｃ２’に挿入され天井材Ｃ’に取り付けられる枠体２”と、枠体２”の内側に配置されて枠体２”に取り付けられた器具本体３”と、内部に光源６”が配置され器具本体３”に対して回転軸８１”により上下方向に回動可能（いわゆる首振り可能）となるように結合された灯具４”とを備え、枠体２”の側面に配設された複数の板ばねからなる取付ばね２３”が天井材Ｃ’の貫通孔Ｃ２’の内周面に弾接することで、枠体２”が天井材Ｃ’に取り付けられる天井埋込型照明器具１”が提案されている。（公知文献にかかるものではない）。
【０００４】
ここで、図７に示した構成の天井埋込型照明器具１”は、灯具４”を傾ける際に灯具４”が所定の角度以上に回動するのを防止する手段として、回転軸８１”が挿通される灯具４”の軸受け部４ｃ”及び器具本体３”の軸受け部（図示せず）それぞれに相互に当接可能な一対のストッパ（図示せず）が設けられている。
【特許文献１】特開２０００−３４８５２８号公報
【発明の開示】
【発明が解決しようとする課題】
【０００５】
しかしながら、図７に示す構成の天井埋込型照明器具１”では、天井材Ｃ’が同図中に一点鎖線で示すように所定の厚さよりも厚くなると、灯具４”を傾けたときに灯具４”が天井材Ｃ’に接触し、灯具４”で発生した熱により天井材Ｃ’の温度が上昇することがあった。
【０００６】
本願発明は、上記事由に鑑みて為されたものであり、その目的は、灯具を回動させたときに灯具が天井材に接触するのを防止して、天井材の温度上昇を防ぐことが可能な天井埋込型照明器具を提供することにある。
【課題を解決するための手段】
【０００７】
請求項１の発明は、天井材に貫設した貫通孔に挿入され天井材に取り付けられる枠体と、少なくとも一部が枠体の内側に配置されて枠体に取り付けられた器具本体と、光源が内部に配置され器具本体に対して回転軸により上下方向に回動可能となるように軸支された灯具とを備え、灯具を回動させたときに灯具が天井材に接触するのを防止する接触防止具を回転軸に回動自在に設けたことを特徴とする。
【０００８】
この発明によれば、灯具の回転軸に回動自在に設けられた接触防止具を備えていることにより、灯具を回動させたときに灯具が天井材に接触するのを防止して、天井材の温度上昇を防ぐことが可能となる。
【０００９】
請求項２の発明は、請求項１の発明において、前記器具本体は、前記枠体の内側に配置されて前記枠体に取り付けられ前記光源からの光を出射させるベース部と、ベース部上に配置され前記回転軸により前記灯具を軸支した支持体とを備え、前記回転軸を水平面内で前記枠体の投影領域よりも外側の位置まで移動可能とするように支持体がベース部に対してスライド自在に連結されてなることを特徴とする。
【００１０】
この発明によれば、前記天井材の厚さがベース部の高さに比べて薄い場合には、前記回転軸により前記灯具を軸支する支持体を前記枠体に取り付けられるベース部に対して水平面内でスライドさせて、前記回転軸を前記枠体の投影領域よりも外側の位置まで移動させることにより、前記灯具から出射される光を有効に活用できる前記灯具の回動範囲を広げることができる。
【発明の効果】
【００１１】
請求項１の発明によれば、灯具の回転軸に回動自在に設けられた接触防止具を備えていることにより、灯具を回動させたときに灯具が天井材に接触するのを防止して、天井材の温度上昇を防ぐことが可能となる。
【発明を実施するための最良の形態】
【００１２】
以下、本実施形態の天井埋込型照明器具１について図１乃至図５を参照して説明する。
【００１３】
本実施形態の天井埋込型照明器具１は、天井材Ｃに貫設した円形状の貫通孔Ｃ２に挿入され天井材Ｃに取り付けられる円筒状の枠体２と、一部が枠体２の内側に配置されて枠体２に取り付けられた器具本体３と、内部に白熱電球からなる光源６が配置され器具本体３に対して上下方向に回動可能となるように器具本体３に結合された灯具４とを備えている。
【００１４】
枠体２は、下端縁から外方へ外鍔部２１が延設されており、貫通孔Ｃ２に挿入されて外鍔部２１と天井材Ｃにおける貫通孔Ｃ２の周部下面Ｃ１とが当接する形で天井材Ｃに取り付けられる。ここで、枠体２は、図７に示した構成と同様に、枠体２の外側面に配設された複数（ここでは、２つ）の板ばねからなる第一の取付ばね（図示せず）が天井材Ｃの貫通孔Ｃ２の内周面に弾接することで、天井材Ｃに取り付けられる。
【００１５】
器具本体３は、上方からの光を通過させる窓孔３２ａを有し枠体２の内側に配置されて枠体２に取り付けられるベース部３２と、ベース部３２の外側面に設けられベース部３２を枠体２に着脱自在に取り付けられるための２つの板ばねからなる第二の取付ばね３３，３３と、ベース部３２の上側に配置され灯具４を回転軸となるボルト８１により回動可能に軸支した支持体３１とを備え、支持体３１が２本の連結ねじ５１，５１によりベース部３２に連結されている。
【００１６】
ベース部３２は、外周形状が円形状であり、下端縁から外方へ外鍔部３２ｂが延設されており、枠体２に下方から挿入して外鍔部３２ｂが枠体２の下端に設けられた段部２２に係合する形で枠体２の内側に配置される。なお、ベース部３２は、下側ほど窓孔３２ａの開口面積が大きくなるように窓孔３２ａの内側面が階段状に形成されている。
【００１７】
上述の２つの第二の取付ばね３３，３３は、金属板を折曲して形成されており、ベース部３２をベース部３２の径方向において挟む形で配設されている。ここにおいて、２つの取付ばね３３，３３は、下端部同士が連結片３３ｂ（図４（ａ）参照）によって連結されている。そして、ベース部３２は、取付ばね３３の上端部３３ａとベース部３２の外鍔部３２ｂとで枠体２を挟持する形で枠体２に取り付けられる。
【００１８】
支持体３１は、外形が円形状のフランジ部３１aを有し、フランジ部３１ａには、当該フランジ部３１ａの上側に位置する灯具４から出射した光を下側へ通過させるための楕円状の開口部３１ｄが偏心して形成されている。また、支持体３１のフランジ部３１ａの上面には、開口部３１ｄの長径方向（図１（ａ）における左右方向）の一方側の幅広部に、上述の回転軸が挿入される軸受け部３１ｃが立設されている。また、フランジ部３１ａ上面には、当該フランジ部３１ａの周方向に沿って平面視Ｃ字状の遮蔽壁３１ｂが立設されている。
【００１９】
ここで、支持体３１のフランジ部３１ａには、開口部３１ｄの長径方向に長手方向が一致する２つの長孔３１１，３１１（図２参照）が開口部３１ｄの短径方向の両側に穿設されており、一方、ベース部３２には、長孔３１１，３１１それぞれに対応した位置に上述の連結ねじ５１が螺合するねじ孔（図示せず）が穿設されている。そして、上述の連結ねじ５１は、コイルばね５２及び座金５３を通して長孔３１１に挿通されて、ベース部３２の上面に穿設されたねじ孔に螺合することで、支持体３１は、ベース部３２に対して水平面内で長孔の長手方向にスライド可能となるように固定される。ここで、長孔３１１は、長手方向の寸法を支持体３１を枠体２の投影領域の外側の位置まで移動させることができる寸法に設定されている。
【００２０】
また、支持体３１のフランジ部３１ａに設けられた開口部３１ｄの大きさは、ボルト８１を枠体２の投影領域の外側の位置まで移動させたときに、支持体３１の上方からの光を遮らないようにするために、窓孔３２ａの上端の開口部３２ｃの大きさよりも大きく形成されている。なお、支持体３１のスライドし易さは、連結ねじ５１の締め付けトルクと連結ねじ５１のねじ孔への入れ具合との少なくとも一方を調整することにより設定できる。また、コイルばね５２、又はコイルばね５２及び座金５３の代わりに、ばね座金に連結ねじ５１が挿通されるものであってもよい。
【００２１】
灯具４は、前面に光照射用開口部４ａを有し、前端縁（光照射用開口部４ａの周縁）に、上述のボルト８１が挿通される軸受け部４ｃが突設されている。灯具４側の軸受け部４ｃと支持体３１側の軸受け部３１ｃに挿通されたボルト８１の先端部にナット８２が螺合されることでボルト８１により灯具４が器具本体３に回動可能に軸支される。ここで、灯具４は、ナット８２の締め付けトルクを調整することにより支持体３１に対してボルト８１を回転軸として上下方向に回動可能（いわゆる首振り可能）となる。
【００２２】
灯具４の内部には、光源６を保持するためのソケット７が配置されており、ソケット７に保持された光源６から放射された光は、灯具４の光照射用開口部４ａから出射される。また、灯具４には、光源６が発する熱を逃がすため通気用開口部４ｂが複数個設けられている。なお、本実施形態では光源６として白熱電球を例示したが、これに限定されるものではなく、例えばハロゲンランプ、メタルハライドランプ、電球形蛍光灯又は高輝度ＬＥＤランプであってもよい。
【００２３】
ところで、本実施形態の天井埋込型照明器具１は、灯具４を回動させたときに灯具４が天井材Ｃに接触するのを防止する接触防止具９を備えている。接触防止具９は、図３に示すように、ステンレス鋼（ＳＵＳ）製の棒状部材９aの両端部を同一方向にく字状に折曲し、その一端部には円環状の連結部９ｂが曲成され、他端部には円環状の灯具接触部９ｃが曲成されている。ここで、円環状の連結部９ｂを含む平面と円環状の灯具接触部９ｃを含む平面とは互いに直交するように曲成されている。そして、接触防止具９は、連結部９ｂに挿通されたボルト８１に回動自在に設けられている。
【００２４】
しかして、本実施形態の天井埋込型照明器具１では、天井材Ｃの厚さが枠体２の高さよりも厚い場合には、図１（ｂ）に示すように、灯具４を一定角度回動させると、接触防止具９が天井材Ｃにおける貫通孔Ｃ２の上端と接触することにより、灯具４が天井材Ｃに接触するのを防止して、天井材Ｃの温度上昇を防ぐことが可能となる。
【００２５】
ところで、灯具４の内部に配置された光源６を交換する際に、図４（ａ）に示すように、器具本体３を枠体２の下側へ引き下げて取り出す必要がある。ここで、灯具４を一度、接触防止具９が天井材Ｃにおける貫通孔Ｃ２の上端と接触する位置まで傾けると、接触防止具９は貫通孔Ｃ２の上端と接触する形で留まる。すると、器具本体３を引き下げる際に、貫通孔Ｃ２の上端に接触防止具９が引っ掛り、光源６の交換作業に支障を及ぼすことが懸念される。
【００２６】
しかしながら、本実施形態では、接触防止具９は、灯具４のボルト８１に回動自在に設けられているため、図４（ｂ）に示すように、器具本体３を引き下げると、連結部９ｂに挿通されたボルト８１を回転軸として上方に回動し、つまり、器具本体３の引き下げ方向と反対方向に立ち上がり、枠体２の投影領域内に収まる。従って、接触防止具９が器具本体３を引き出す作業に支障を及ぼすことはない。
【００２７】
また、天井埋込型照明器具１では、図５（ａ）に示すように、灯具４を回動させる場合、灯具４の光軸が器具本体３のベース部３２の窓孔３２ａの側壁と重ならない限り、灯具４から出射される光を有効に活用できる。
【００２８】
本実施形態では、天井材Ｃの厚さがベース部３２の高さよりも薄い場合（例えば、厚さが１５ｍｍ未満の場合）は、図５（ａ）に示すように、ベース部３２の上面が天井材Ｃの上面を含む平面よりも上側に位置するので、灯具４を支持する支持体３１を、枠体２の上面の上側に位置するベース部３２の上面に沿って枠体２の投影領域の外側の位置へ移動させることにより、灯具４の光軸がベース部３２の上面に垂直な方向に対して４５度の角度をなすまで灯具４を回動させても灯具４から出射される光を有効に活用できる。この場合、接触防止具９は天井材Ｃと接触しないので、接触防止具９によって灯具４の回動範囲が制限されることはない。
【００２９】
一方、天井材Ｃが、図５（ｂ）に示すように、二重張り天井であって厚さがベース部３２の高さよりも厚い場合（例えば、厚さが２１ｍｍ以上の場合）は、接触防止具９が天井材Ｃの貫通孔Ｃ２の上端と接触することで、灯具４の回動範囲は制限される。また、ベース部３２の上面が天井材Ｃの上面を含む平面よりも下側に位置するので、支持体３１は、枠体２の上面の上側に位置するベース部３２上面に沿ってスライドさせても支持体３１の一部が貫通孔Ｃ２の内周面の一部に当接し、ボルト８１が枠体２の投影領域の外側への移動が制限される。従って、灯具４から出射される光を有効に活用できる灯具４の回動範囲は、灯具４の光軸がベース部３２の上面に垂直な方向に対して３５度以下の角度をなす範囲に制限される。この場合、接触防止具９の形状を適当に設定することにより灯具４の光軸がベース部３２の上面に垂直な方向に対して３５度の角度をなすまで灯具４を回動させることを可能としている。
【図面の簡単な説明】
【００３０】
【図１】実施形態の天井埋込型照明器具を示し、（ａ）は灯具を器具本体に対して上下方向に回動させていないときの側面図、（ｂ）は灯具を器具本体に対して上下方向に回動させたときの側面図である。
【図２】同上における器具本体を構成する支持体の一部斜視図である。
【図３】同上における接触防止具を示し、（ａ）は斜視図、（ｂ）は側面図、（ｃ）は正面図である。
【図４】同上の天井埋込型照明器具の光源交換時の説明図である。
【図５】同上の天井埋込型照明器具を示し、（ａ）は天井材の厚さが枠体の高さ以下の場合の断面図、（ｂ）は天井材の厚さが枠体の高さよりも厚い場合の断面図である。
【図６】従来例を示す天井埋込型照明器具の断面図である。
【図７】他の従来例を示す天井埋込型照明器具の断面図である。
【符号の説明】
【００３１】
１  天井埋込型照明器具
２  枠体
３  器具本体
４  灯具
６  光源
９  接触防止具
３１  支持体
３２  ベース部
８１  ボルト（回転軸）
３１１  長孔
Ｃ  天井材
Ｃ２  貫通孔
【図１】
0004849045.tif 000002
【図２】
0004849045.tif 000003
【図３】
0004849045.tif 000004
【図４】
0004849045.tif 000005
【図５】
0004849045.tif 000006
【図６】
0004849045.tif 000007
【図７】
0004849045.tif 000008